(57)【要約】【課題】ヘルメットとシールドとの密閉性を改善する。【解決手段】略球状であって着用者に視界を提供するために少なくとも前方に開口する開口窓を有する主帽体と、主帽体の両側面に突出して設けられた一対の回動機構に接続され、開口窓を塞ぐよう固定される閉位置と開口窓を開放するよう固定される開位置とに移動可能なシールドと、シールドが閉位置にあるときに、シールドの上辺と主帽体の開口窓の上辺との隙間を、一方の回動機構の近傍から他方の回動機構の近傍にわたり密閉するシール部材と、を備え、シールドの上端部は、少なくともシール部材の左右の端部近傍の上辺において、主帽体へ向けて屈曲しているようにヘルメットを構成する。【選択図】図７
2018165415.tif 000002
【特許請求の範囲】
【請求項１】
略球状であって着用者に視界を提供するために少なくとも前方に開口する開口窓を有する主帽体と、前記主帽体の両側面に突出して設けられた一対の回動機構に接続され、前記開口窓を塞ぐよう固定される閉位置と前記開口窓を開放するよう固定される開位置とに移動可能なシールドと、
前記シールドが前記閉位置にあるときに、前記シールドの上辺と前記主帽体の前記開口窓の上辺との隙間を、一方の前記回動機構の近傍から他方の前記回動機構の近傍にわたり密閉するシール部材と、を備え、
前記シールドの上端部は、少なくとも前記シール部材の左右の端部近傍の上辺において、前記主帽体へ向けて屈曲していると共に前記シールドが前記閉位置にあるときに前記シール部材と当接していることを特徴とするヘルメット。
【請求項２】
前記シールドの上端部が、少なくとも前記シール部材の一方の端部から他方の端部にわたる部分の上辺において、前記主帽体へ向けて屈曲していることを特徴とする請求項１に記載のヘルメット。
【請求項３】
前記回動機構の、少なくとも後方側を覆うとともに、前記シール部材の左右の端部と連結して前記主帽体と前記シールドの左右後方部との間を塞ぐカバー部材をさらに備えることを特徴とする、請求項１または２に記載のヘルメット。
【請求項４】
前記開口窓の下にチンガードを有するフルフェイス型ヘルメットであって、
前記カバー部材が、前記チンガードと一体で構成されていることを特徴とする、請求項３に記載のヘルメット。
【請求項５】
前記回動機構に接続され、前記開口窓の上辺より下で固定される第１の位置と前記開口窓の上辺より上で固定される第２の位置とに移動可能なチンガードと連続して、前記カバー部材が形成されていることを特徴とする、請求項３に記載のヘルメット。
【請求項６】
前記チンガードが前記第１の位置にあるときに、前記シール部材の左右の端部において、前記シール部材の上面と前記カバー部材の上面とが連続面を形成することを特徴とする、請求項５に記載のヘルメット。
【請求項７】
前記シール部材の左右の端部は、前記開口窓の左右の端部よりも後方側であることを特徴とする、請求項１ないし６に記載のヘルメット。
【発明の詳細な説明】
【技術分野】
【０００１】
本発明は、ヘルメットにおけるシールドの密閉性改善に関する。
【背景技術】
【０００２】
自動二輪車等の乗員が着用するヘルメットは、硬質合成樹脂からなる外側シェルと発泡材等の衝撃吸収材からなる内側ライナーとで構成される主帽体を主要部とする。このようなヘルメットの主帽体は略球状の形状を有し、着用者の装着のために下方が開口するとともに、着用者に視界を提供するために前方に開口窓を備えている。そして、開口窓には、通常、透過性を有するシールドが配されていて、開口窓を塞ぐことによって着用者の視界を確保しつつ開口窓からの風や雨水の流入を防止することができる。シールドは、主帽体の両側面に突出する一対の回動機構に接続され、開口窓を塞ぐ位置と開口窓を開放する位置とに移動可能に構成される。
【０００３】
いわゆるフルフェイス型のヘルメットは、開口窓の下にチンガードを有し、着用者の顎領域を覆うことにより、例えば、着用者が転倒したときでも、顎領域を打撃や衝撃等から保護できる。さらに、チンガードを主帽体に対して上方向に移動可能に構成し、高速走行時に特に重要となるフルフェイス型の安全性と、低速走行時ないし停止時に望まれる、チンガードを有しないいわゆるオープンフェイス型の開放感とを切り替えて実現できるようにした、いわゆるフリップアップ型のヘルメットもよく知られている。
【０００４】
特許文献１には、ヘルメットのバイザー（本願のシールドに相当）の支持枠にガスケットを挿入することにより、バイザーが閉じられたときに、確実に密閉される技術が開示されている。また、特許文献２には、バイザーの上端のガスケットが開口窓の上部と密着し、また、バイザーの下端が顎プロテクター（本願のチンガードに相当）の上端のシーリングリップと密着するヘルメットの密閉構造が開示されている。さらに、特許文献３には、シールドスクリーン（本願のシールドに相当）が窓（本願の開口窓に相当）の上辺、および、顎保護板（本願のチンガードに相当）の上端縁に密着することにより、空気が漏れないようにする技術が開示されている。
【先行技術文献】
【特許文献】
【０００５】
【特許文献１】欧州特許第１８４７１９２号明細書
【特許文献２】米国特許第４５２４４６５号明細書
【特許文献３】特開昭６１−１３２６０４号公報
【発明の概要】
【発明が解決しようとする課題】
【０００６】
シールドを有するヘルメットにおいては、シールドと主帽体との間に隙間があるため、特に暴風雨等の悪天候時や雨天での長時間走行時などにおけるヘルメット内部への浸水が問題となる。浸水を防止するため、開口窓の周縁に、シールドと開口窓との隙間を密閉するためのゴム（以下、「窓ゴム」という。）を設けてシールドと主帽体との隙間を塞ぐ構造が採用されている。このとき、シールド内側に浸水が起きると、着用者の集中力が削がれて安全走行に支障をきたすおそれがあるので、着用者の視界領域への水の浸入を防止することが特に重要となる。具体的には、浸水が生じやすい窓ゴムの左右端の位置を開口窓から離す、すなわち、ヘルメットの後方へ移動させることにより、浸水した場合であっても、極力着用者の視界領域外となるような工夫が施されている。
【０００７】
しかしながら、主帽体の両側面には、シールドの両端部と接続して、シールドを上下方向に移動可能にするための一対の回動機構が設けられている。このため、窓ゴムの左右両端の位置をヘルメットの後方へ移動させるためには、シールドの形状を変更するだけでなく、回動機構自体もヘルメットの後方へ移動させることになる。一方、ヘルメットの軽量化や安全性確保の観点から、回動機構の構造はできる限りシンプルなものにしたいという要請がある。このように、回動機構自体のヘルメットの後方への移動には限度があり、主帽体の側面における回動機構の位置は、ある程度限定されるのが実状である。したがって、浸水箇所を完全に着用者の視界領域外とすることは困難である。
【０００８】
さらに、回動機構は種々の部材から構成されるため、ヘルメットを上から見た場合、回動機構は、主帽体の外表面から幾分突出した形状を有している。このため、回動機構の周辺では、主帽体とシールドとの間の隙間を埋めるために、開口窓の中央部の窓ゴムよりも厚い密閉部材が必要となる。このような密閉部材は、窓ゴムと一体に成形されるか、または、窓ゴムに連なる別部材として構成される。しかし、このような窓ゴムないし密閉部材をヘルメット表面に露出させるのは、デザイン上の美観が損なわれるという問題がある。
【０００９】
とりわけ、チンガードを主帽体に対して相対的に動かすことができるフリップアップ型のヘルメットにおいては、これらの問題がより顕著になる。フリップアップ型のヘルメットでは、チンガードを主帽体に対して上下方向に移動可能な構造にするため、チンガードも回動機構に接続される。すなわち、チンガードの厚みが加わるため、回動機構の突出がさらに大きくなり、そのための密閉部材もより嵩高となる。密閉部材が嵩高になるとシールドへの密着強度が低下するため、浸水防止機能が低下する。そこで、回動機構の周囲の密閉部材を補うために、さらに密閉部材を追加することになる。しかしながら、シールドやチンガードの移動の妨げにならないように密閉部材を追加するのが難しいという問題がある。
【００１０】
フリップアップ型のヘルメットでは、上記の弱点を克服するため、窓ゴムの両端部を、よりヘルメットの後方へ移動させることにより、仮に水が浸入した場合であっても、着用者の視界領域外へ逃がすための構造が採用されている。しかしながら、チンガードを跳ね上げるための回動機構と、シールドを上下させるための回動機構とが主帽体の両側面に設けられることになるため、一般的なフルフェイス型のヘルメットと比較すると、回動機構の位置的な制約をより強く受けてしまう。また、回動機構の位置を後方にすると、シールドも後方へ延長する必要があり、結果として、大きく重いシールドとなってしまう。このように、フリップアップ型のヘルメットでは、デザイン上の美観が損なわれやすく、確実に漏水をなくすことが困難になるという問題がある。
【００１１】
また、上記特許文献１に記載された技術は、シールドとヘルメットとの間にガスケットを設けることによりシールドとヘルメットとの間の接触を行っているが、当然、ガスケットはシールドよりも大きくなり、ヘルメットの重量が大きくなる。また、ガスケットとヘルメットとの間に隙間が生じる恐れがある。また、特許文献２や特許文献３に記載された技術は、開口窓の中央でのシールドと窓ゴムとの密着を確実に行なえるが、回動機構の周辺からヘルメット内部への漏水を完全に防止することができないという問題がある。
【００１２】
本発明は、上記従来技術の問題点に鑑みてなされたものであって、ヘルメットにおける主帽体とシールドとの密閉性を改善し、様々なタイプのヘルメットにおいても、悪天候時のヘルメット内部への浸水を防止することが可能なヘルメットを提供することを目的とする。
【課題を解決するための手段】
【００１３】
上記課題を解決するため、本発明におけるヘルメットは、略球状であって着用者に視界を提供するために少なくとも前方に開口する開口窓を有する主帽体と、前記主帽体の両側面に突出して設けられた一対の回動機構に接続され、前記開口窓を塞ぐよう固定される閉位置と前記開口窓を開放するよう固定される開位置とに移動可能なシールドと、
前記シールドが前記閉位置にあるときに、前記シールドの上辺と前記主帽体の前記開口窓の上辺との隙間を、一方の前記回動機構の近傍から他方の前記回動機構の近傍にわたり密閉するシール部材と、を備え、
前記シールドの上端部は、少なくとも前記シール部材の左右の端部近傍の上辺において、前記主帽体へ向けて屈曲していると共に前記シールドが前記閉位置にあるときに前記シール部材と当接していることを特徴とする。
【発明の効果】
【００１４】
本発明によれば、ヘルメットにおける主帽体とシールドとの密閉性を改善し、様々なタイプのヘルメットにおいても、悪天候時のヘルメット内部への浸水を防止することが可能なヘルメットを得ることができる。
【図面の簡単な説明】
【００１５】
【図１】シールドが閉でチンガードが下にあるときの本発明の実施形態のヘルメットの斜視図である。
【図２】シールドが開でチンガードが下にあるときの本発明の実施形態のヘルメットの斜視図である。
【図３】シールドが開でチンガードが上にあるときの本発明の実施形態のヘルメットの斜視図である。
【図４】シールドが閉でチンガードが下にあるときの本発明の実施形態のヘルメットにおける図１のｘ−ｘ断面を示す模式図である。
【図５Ａ】シールドが閉でチンガードが下にあるときの本発明の実施形態のヘルメットにおける左側面図である。
【図５Ｂ】チンガードが下にあるときのカバー部材とシール部材との位置関係を示す右側面図である。
【図５Ｃ】チンガードが下から上へ開け始められた際のカバー部材とシール部材との位置関係を示す図５Ｂに対応する右側面図である。
【図５Ｄ】チンガードが上にあるときのカバー部材とシール部材との位置関係を示す図５Ｂに対応する右側面図である。
【図６】本発明の実施形態のヘルメットにおける図５Ａのｐ部分を前後方向に切断したときの断面の模式図である。
【図７】本発明の実施形態のヘルメットにおける図５Ａのｑ部分を左右方向に切断したときの断面の模式図である。
【発明を実施するための形態】
【００１６】
本発明にかかるヘルメットは、着用する自動二輪車等の乗員に視界を提供する開口窓が設けられた主帽体と、その主帽体に接続され、開口窓を開閉するシールドとを有する。そして、暴風雨等の悪天候時にヘルメットを装着して長時間二輪車で走行する際であっても、当該開口窓とシールドとの間の隙間から水が浸入するのを防止するため、開口窓とシールドとの間の隙間をシール部材によって密閉している。このとき、万が一、水がヘルメット内部に浸入したとしても、水が着用者の視界領域に入らないように、シール部材の左右端を出来る限りヘルメットの後方へ移動させている。
【００１７】
主帽体の両側面に設けられる、シールドを開閉させるための一対の回動機構の中には、シールドを保持して、主帽体の側面に対して略直交する回転軸を中心に回転させるシールドベースという部品が内蔵されている。そのため、一対の回動機構は主帽体の左右側面から突出している。シールドを適切な強度で保持するため、回動機構の厚みはある程度必要であり、回動機構の位置も所定の範囲内で決定することになる。
【００１８】
従来、シール部材の左右端は回動機構よりもヘルメットの前方寄りに配置されていた。回動機構には所定の厚みがあるため、シール部材の左右端を回動機構に近接させるほど、主帽体の側面からより高く立ち上げる必要があった。シール部材の立ち上げ量が大きくなるとシールドへの密着強度が低下するため、浸水防止機能が低下する。そこで、シール部材の左右端に別の密閉部材を追加して、浸水防止機能の低下を補っていた。
【００１９】
しかしながら、シール部材の左右端をさらに後方へ移動させると、シールドの開閉移動に干渉するため、別の密閉部材を追加することができない。そこで、本実施形態では、シール部材の左右端に別の密閉部材を追加することに代えて、シールドの上辺端部を、主帽体に向けて屈曲させることとした。これにより、シールドと主帽体との隙間の密着度が高まり、隙間がなくなる。さらに、シールド上端部の空気抵抗を減少するので、ヘルメット内部への浸水を防止すると共に、空力性能を向上させ、風切り音を低減することができる。
【００２０】
以下、本発明の実施形態について図面を参照しつつ詳細に説明する。図１は、シールドが閉でチンガードが下にあるときの本発明の実施形態のヘルメットの斜視図である。図１に示すように、本発明の実施形態にかかるヘルメット１は、略球状の主帽体１０とシールド２０とが接続されてなる。主帽体１０の下部は着用者が頭部を挿入して装着するために開放された開口部で、主帽体１０の前方には開口窓１１が設けられる。着用者は、開口窓１１を通して前方が視認可能である。
【００２１】
シールド２０は、一対の回動機構１２ａ、ｂによって、開口窓１１を塞ぐよう固定される閉位置と、開口窓１１を開放するよう固定される開位置とに移動可能である。シールド２０は、ポリカーボネイトなどの透明樹脂材料により構成可能である
【００２２】
主帽体１０の両側面には、回動機構１２ａおよび１２ｂが設けられる。図１において、左側面の回動機構１２ａは、シールド２０と接続され主帽体１０の左側面に対して略直交する回転軸を中心にシールド２０を回転させるシールドベース（図示せず）などの部品を内蔵している。図示を省略するが、主帽体の右側面にも同様に回動機構１２ｂが設けられている。回動機構１２ａおよび１２ｂは、内蔵される部品のために、主帽体１０の両側面から突出している。
【００２３】
主帽体１０の前方において開口窓１１の下方に、チンガード１３が設けられる。チンガード１３は着用者の顎領域を覆い、例えば、転倒時に着用者の顎領域を打撃や衝撃等から保護する。チンガード１３は主帽体１０とは別体で形成され、回動機構１２ａおよび１２ｂに接続されて主帽体１０に対し回動し、開口窓上辺１１１より下で固定される第１の位置と開口窓上辺１１１より上で固定される第２の位置とに移動可能に接続される。チンガード１３の回転軸は、シールド２０の回転軸と一致していなくてもよい。チンガード１３の回転軸がシールド２０の回転軸と一致しない場合、チンガード１３は、シールド２０が接続されるシールドベースとは別の部品に接続して構成することができる。
【００２４】
図２は、シールドが開でチンガードが下にあるときの本発明の実施形態のヘルメットの斜視図である。シールド２０が開位置にあることを除いてヘルメット１の各部分の構成は図１と同様であるので、各部分の説明は省略する。
【００２５】
図３は、シールドが開でチンガードが上にあるときの本発明の実施形態のヘルメットの斜視図である。シールド２０が開位置にあり、チンガード１３が上（第２の位置）にあることを除いてヘルメット１の各部分の構成は図１と同様であるので、各部分の説明は省略する。
【００２６】
図４は、シールドが閉でチンガードが下にあるときの本発明の実施形態のヘルメットにおける図１のｘ−ｘ断面を示す模式図である。ｘ−ｘ断面は、開口窓上辺１１１近傍を通る略水平な平面である。
【００２７】
図１ないし図４に示すように、主帽体１０には、主帽体１０とシールド２０との隙間を密閉するシール部材１４が設けられる。シール部材１４は、開口窓１１の周縁に設けられ、シールド２０と開口窓１１との隙間を密閉する。シール部材１４の設けられる箇所は、シールド２０が閉位置にあるときに、シールド２０の上辺に対応する主帽体１０の位置であり、開口窓１１の上辺１１１近傍である。また、シール部材１４は、左側の回動機構１２ａの近傍から右側の回動機構１２ｂの近傍にわたり密閉できるように設けられる。回動機構１２ａおよび１２ｂは前述のように主帽体１０の両側面から突出しているため、シール部材１４の左端１４１ａおよび右端１４１ｂ近傍は中央部近傍に比べて厚みが大きく形成される。このとき、シール部材１４の左端１４１ａおよび右端１４１ｂが開口窓１１の左右端よりも後方側となるよう構成すると、浸水リスクの比較的大きい箇所を乗員の視界領域から遠ざけることができるため、好適である。シール部材１４は、ゴム等の弾性を有する材料により一体の窓ゴムとして構成可能であり、ゴム等の弾性を有する材料により連なって形成される窓ゴムと密閉部材によって構成することも可能である。
【００２８】
主帽体１０の回動機構１２ａおよび１２ｂの後方周辺には、カバー部材１５ａおよび１５ｂがそれぞれ設けられる。カバー部材１５ａおよび１５ｂをシール部材１４の左端１４１ａおよび右端１４１ｂと連結するよう設けることにより、主帽体１０とシールド２０の左右後方部との隙間を塞いで浸水を防止するとともに、回動機構１２ａおよび１２ｂを衝撃から保護することができる。カバー部材１５ａおよび１５ｂは、主帽体１０およびシールド２０とは別部材として樹脂などにより形成することができる。また、回動機構１２ａおよび１２ｂの周辺部分の主帽体１０を突出させてカバー部材１５ａおよび１５ｂを形成してもよい。カバー部材１５ａおよび１５ｂは、回動機構１２ａおよび１５ｂの少なくとも後側を覆うように設けられる。このようにして、回動機構１２ａおよび１２ｂの周辺は、シール部材１４とカバー部材１５ａおよび１５ｂによって密閉される。
【００２９】
図５Ａは、シールドが閉でチンガードが下にあるときの本発明の実施形態のヘルメットにおける左側面図である。図５Ａに示すように、カバー部材１５ａは、回動機構１２ａの後方側を覆うように設けられる。このとき、シール部材１４の上面とカバー部材１５ａの上面とが連続面を形成すると、シールド２０もこの形状に対応して連続面で構成することができるため、段差が少なく浸水防止効果が高まるとともに美的にも優れ、かつ、製造も容易となって好適である。
【００３０】
図５Ｂは、チンガードが下にあるときの本発明の実施形態のヘルメットにおける右側面図である。この図に示されるように、本実施形態では、右側のカバー部材１５ｂがチンガード１３に取付けられている。また、図示は省略するが、左側のカバー部材１５ａは、右側のカバー部材１５ｂと同様に、チンガード１３に取付けられている。そして、チンガード１３が下にあるときにおいては、カバー部材１５ｂの上端部１５１ｂとシール部材１４の右端１４１ｂとが重なっている。また、図示は省略するが、左側のカバー部材１５ａの上端部１５１ａとシール部材１４の左端１４１ａとが重なっている。
【００３１】
また、図５Ｃ及び図５Ｄに示されるように、チンガード１３が下から上に開けられることで、カバー部材１５ｂの上端部１５１ｂとシール部材１４の右端１４１ｂとが離間すると共に、左側のカバー部材１５ａの上端部１５１ａとシール部材１４の右端１４１ａとが離間するようになっている。なお、図５Ｂ〜図５Ｄにおいてはシールド２０の図示を省略している。
【００３２】
図６は、本発明の実施形態のヘルメットにおける図５Ａのｐ部分を前後方向に切断したときの断面の模式図である。図６に示すように、主帽体１０の開口窓１１の上辺１１１近傍にはシール部材１４が設けられる。シールド２０は、上辺において主帽体１０に近づくように屈曲し、屈曲した部分でシール部材１４に当接する。
【００３３】
図７は、本発明の実施形態のヘルメットにおける図５Ａのｑ部分を左右方向に切断したときの断面の模式図である。図７に示すように、シールド２０は、上辺において主帽体１０に近づくように屈曲し、屈曲した部分で主帽体１０に設けられるシール部材１４の左端１４１ａに当接する。
【００３４】
本実施形態において、チンガード１３は、一対の回転機構により開口窓より下で固定される第１の位置と開口窓より上で固定される第２の位置とに移動可能に接続されている。しかし、チンガードの構成はこれに限らず、チンガード１３が主帽体１０と一体に成形されて、移動できないようにしてもよい。さらに、チンガード１３がなく、主帽体１０とシールド２０のみから構成されるヘルメットであってもよい。
【００３５】
以上説明したように、本発明によれば、シールドが屈曲することによってシール部材を押圧しつつ密着することとしている。これにより、様々なタイプのヘルメットにおいても、悪天候時のヘルメット内部への漏水を防止することができるといった従来技術では得ることができない効果を有するものである。さらに、空力性能を向上させ、風切り音を低減することができるという効果も得ることができる。
【００３６】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、いずれの態様においても本発明の作用効果を奏する限り、本発明の範囲に含まれるものである。
【符号の説明】
【００３７】
１    ヘルメット
１０    主帽体
１１    開口窓
１１１    開口窓上辺
１２ａ、ｂ    左側面および右側面の回動機構
１３    チンガード
１４    シール部材
１４１ａ、ｂ    シール部材の左端部および右端部
１５ａ、ｂ    左側面および右側面のカバー部材
２０    シールド
【図１】
2018165415.tif 000003
【図２】
2018165415.tif 000004
【図３】
2018165415.tif 000005
【図４】
2018165415.tif 000006
【図５Ａ】
2018165415.tif 000007
【図５Ｂ】
2018165415.tif 000008
【図５Ｃ】
2018165415.tif 000009
【図５Ｄ】
2018165415.tif 000010
【図６】
2018165415.tif 000011
【図７】
2018165415.tif 000012